(57)【特許請求の範囲】
【請求項１】
建物における屋根構造体と小屋裏界壁との取合構造であって、
前記屋根構造体と前記小屋裏界壁との間には、不燃性のスペーサー部材が設けられており、
前記スペーサー部材の上端部には、前記屋根構造体を支持する不燃性のクッション部材が設けられているとともに、前記スペーサー部材の本体部の側面には、前記小屋裏界壁の上端部が嵌め込まれる不燃性の嵌込部が設けられていることを特徴とする屋根構造体と小屋裏界壁との取合構造。
【請求項２】
前記スペーサー部材の前記嵌込部の内部には、弾性部材が設けられていることを特徴とする請求項１に記載の屋根構造体と小屋裏界壁との取合構造。
【請求項３】
前記スペーサー部材の本体部の下端が、前記嵌込部の内部に設けられた弾性部材の下端より下の位置に設けられていることを特徴とする請求項２に記載の屋根構造体と小屋裏界壁との取合構造。
【請求項４】
前記スペーサー部材の前記嵌込部は、前記スペーサー部材の前記本体部の長手方向に、間隔をあけて複数個設けられていることを特徴とする請求項３に記載の屋根構造体と小屋裏界壁との取合構造。
【請求項５】
請求項１乃至４のいずれか１項に記載の屋根構造体と小屋裏界壁との取合構造を備えていることを特徴とする建物。
【請求項６】
前記建物は、複数個の建物ユニットから成るユニット建物であることを特徴とする請求項５に記載の建物。
【発明の詳細な説明】
【技術分野】
【０００１】
本発明は、建物における屋根構造体と小屋裏界壁との取合構造、及びこの取合構造を備えた建物に関するものである。
【背景技術】
【０００２】
建物においては、屋根構造体と小屋裏界壁との取合構造は、耐火性を確保しつつ、屋根構造体に排水のための勾配を持たせるように実施されている。
【０００３】
特に、居室間等の屋内空間に設ける界壁の上方には、屋根構造体との間の小屋裏空間を遮るように、小屋裏界壁を設けなければならないことが、建築基準法で定められている（特許文献１，２等を参照）。
【０００４】
例えば特許文献２に開示された屋根構造体と小屋裏界壁との取合構造では、セラミックファイバー等の耐火性を有するクッション部材を上端部に設けたスペーサー部材を介して、屋根構造体と小屋裏界壁との取合がなされている。
【０００５】
なお、この特許文献２に開示された屋根構造体と小屋裏界壁との取合構造は、陸屋根の建物に適用されるものであるが、陸屋根も、一見すると水平に見えるが、やはり雨水を処理できるように、屋根構造体に排水のための若干の勾配を持たせている。
【先行技術文献】
【特許文献】
【０００６】
【特許文献１】実開平６−７８４１３号公報
【特許文献２】特開２００２−３５６９３８号公報
【発明の概要】
【発明が解決しようとする課題】
【０００７】
しかしながら、特許文献２のような屋根構造体と小屋裏界壁との取合構造では、陸屋根の屋根構造体に排水のための勾配を持たせるには、小屋裏界壁の上端部の側面に、スペーサー部材を、段差を設けて釘打ち等で固定しなければならず、微調整しながらの施工が煩雑であった。
【０００８】
そこで、本発明は、耐火性を確保しつつ、屋根構造体に排水のための勾配を持たせるようにすることができるのは勿論、施工性に優れた屋根構造体と小屋裏界壁との取合構造、及びこの取合構造を備えた建物を提供することを目的としている。
【課題を解決するための手段】
【０００９】
前記目的を達成するために、本発明の屋根構造体と小屋裏界壁との取合構造は、建物における屋根構造体と小屋裏界壁との取合構造であって、前記屋根構造体と前記小屋裏界壁との間には、不燃性のスペーサー部材が設けられており、前記スペーサー部材の上端部には、前記屋根構造体を支持する不燃性のクッション部材が設けられているとともに、前記スペーサー部材の下側には、前記小屋裏界壁の上端部が嵌め込まれる不燃性の嵌込部が設けられていることを特徴とする。
【００１０】
ここで、前記スペーサー部材の前記嵌込部の内部には、弾性部材が設けられているとよい。
【００１１】
また、前記スペーサー部材の前記嵌込部は、前記スペーサー部材の本体部の下側側面に設けられているとよい。
【００１２】
さらに、前記スペーサー部材の前記嵌込部は、前記スペーサー部材の前記本体部の長手方向に、間隔をあけて複数個設けられているとよい。
【００１３】
本発明の建物は、上記した本発明の屋根構造体と小屋裏界壁との取合構造を備えていることを特徴とする。
【００１４】
ここで、前記建物は、複数個の建物ユニットから成るユニット建物であるとよい。
【発明の効果】
【００１５】
このような本発明の屋根構造体と小屋裏界壁との取合構造は、建物における屋根構造体と小屋裏界壁との取合構造であって、屋根構造体と小屋裏界壁との間には、不燃性のスペーサー部材が設けられており、スペーサー部材の上端部には、屋根構造体を支持する不燃性のクッション部材が設けられているとともに、スペーサー部材の下側には、小屋裏界壁の上端部が嵌め込まれる不燃性の嵌込部が設けられた構成とされている。
【００１６】
上記した構成なので、釘打ち等で固定する必要がなく、小屋裏界壁の上端部に、スペーサー部材の嵌込部を嵌め込むだけで済むため、施工性に優れている。
【００１７】
そのうえ、スペーサー部材の嵌込部内での小屋裏界壁の上端部の嵌込長さを変化させるたけで、耐火性を確保しつつ、屋根構造体に排水のための勾配を持たせるようにすることもできる。
【００１８】
特に、屋根構造体に排水のための若干の勾配を持たせている陸屋根の建物に好適である。
【００１９】
ここで、スペーサー部材の嵌込部の内部には、弾性部材が設けられている場合は、弾性部材を変形させることにより、小屋裏界壁の上端部のスペーサー部材の嵌込部内での嵌込長さを思い通りに変化させることができる。
【００２０】
また、スペーサー部材の嵌込部は、スペーサー部材の本体部の下側側面に設けられている場合は、スペーサー部材の全体の高さを低くすることができる。
【００２１】
さらに、スペーサー部材の嵌込部は、スペーサー部材の本体部の長手方向に、間隔をあけて複数個設けられている場合は、スペーサー部材の嵌込部等に用いる材料を少なくして、より安価に実施することができる。
【００２２】
このような本発明の建物は、上記した本発明の屋根構造体と小屋裏界壁との取合構造を備えた構成とされている。
【００２３】
上記した構成なので、上記した本発明の屋根構造体と小屋裏界壁との取合構造の効果を奏する建物を構築することができる。
【００２４】
ここで、建物は、複数個の建物ユニットから成るユニット建物である場合は、ユニット建物は、耐火性を高くするために、多くの小屋裏界壁を形成する場合が多いので、上記した本発明の屋根構造体と小屋裏界壁との取合構造を実施するのに適している。
【図面の簡単な説明】
【００２５】
【図１】実施例の屋根構造体と小屋裏界壁との取合構造を備えた建物としてのユニット建物の概略構成を示す斜視図である。
【図２】図１におけるＡ−Ａ線矢視拡大断面図であって、実施例の屋根構造体と小屋裏界壁との取合構造の概略構成を説明するための説明図である。
【図３】実施例の屋根構造体と小屋裏界壁との取合構造に用いられるスペーサー部材の概略構成を示す斜視図である。
【図４】図３におけるＢ−Ｂ線矢視拡大断面図である。
【発明を実施するための形態】
【００２６】
以下、本発明を実施するための形態を、図面に示す実施例に基づいて説明する。
【実施例】
【００２７】
先ず、実施例の構成について説明する。
【００２８】
図１は、実施例の屋根構造体と小屋裏界壁との取合構造を備えた建物としてのユニット建物Ｕの概略構成を示している。
【００２９】
まず、このユニット建物Ｕは、図１に示したように、複数個の建物ユニット１，・・・を組み付けたうえで、上部に陸屋根の屋根構造体としての折板屋根２を設置して成る。
【００３０】
この実施例の屋根構造体と小屋裏界壁との取合構造は、図１及び図２に示したように、建物ユニット１，１間に設けた石膏ボード等から成る不燃性の界壁３の上部における小屋裏空間４内で実施されている。
【００３１】
具体的には、図２に示したように、小屋裏空間４内では、界壁３の上端部から延設される格好で、長手方向の対向する天井梁５１，５１間に、石膏ボード等から成る不燃性の小屋裏界壁６が架設されている。
【００３２】
この小屋裏界壁６は、転倒を防止するために、左右両側から補強桟７，７により挟持固定されている。
【００３３】
そして、小屋裏界壁６の上端部には、スペーサー部材８を介して、屋根構造体としての折板屋根２が設置されている。
【００３４】
このスペーサー部材８は、図３及び図４に示したように、セラミックファイバー等の不燃性のクッション部材８１が上端部に設けられた石膏ボード等から成る不燃性である長尺の本体部８Ａと、この本体部８Ａの片側面の下側に、本体部８Ａの長手方向に間隔をあけて、接着剤等で固定して設けられた複数個の不燃性の金属から成る嵌込部８Ｂ，・・・とから主に構成される。
【００３５】
ここで、本体部８Ａの上端部に設けられたクッション部材８１は、屋根構造体としての折板屋根２を設置した際に、その下面を傷付けない程度に変形する。
【００３６】
また、嵌込部８Ｂ，・・・は、下側及び側面が開口した引掛爪状であり、その内部には、ロックウール等の弾性部材８２がそれぞれ設けられている。
【００３７】
なお、屋根構造体としての折板屋根２に排水のための勾配を１°とするときは、弾性部材８２として、密度４０Ｋのロックウールが好適に使用される。
【００３８】
また、この勾配を３°とするときは、弾性部材８２として、クッション部材８１に用いるセラミックファイバーを使用することもできる。
【００３９】
つまり、屋根構造体としての折板屋根２に排水のための勾配を通常１〜３°とする陸屋根では、その勾配に適した圧縮率を有する材料から成る弾性部材８２を用いればよい。
【００４０】
勿論、これは同じ厚さの弾性部材８２を用いる場合を前提としたものなので、水上側と水下側とで使い分けることを前提とする場合は、異なる材料から成る弾性部材８２を複合して用いてもよい。
【００４１】
そして、小屋裏界壁６の上端部が嵌込部８Ｂ，・・・に嵌め込まれている。
【００４２】
これにより、図２に示したように、左側に図示した水上側では、弾性部材８２は少ししか圧縮変形せず、右側に図示した水下側では、弾性部材８２が大きく圧縮変形するので、屋根構造体としての折板屋根２に排水のための勾配を容易に持たせることができる。
【００４３】
なお、左右の界壁３，３間には、グラスウール等の断熱材９１，９２が設けられており、耐火性を高くしている。
【００４４】
また、左右の小屋裏界壁６間にも、短手方向の天井梁５２内にグラスウール等の断熱材１０，１１が設けられており、耐火性を高くしている。
【００４５】
次に、実施例の作用効果について説明する。
【００４６】
このような実施例の屋根構造体と小屋裏界壁との取合構造は、建物としてのユニット建物Ｕにおける屋根構造体としての折板屋根２と小屋裏界壁６との取合構造であって、折板屋根２と小屋裏界壁６との間には、不燃性のスペーサー部材８が設けられており、スペーサー部材８の上端部には、折板屋根２を支持する不燃性のクッション部材８１が設けられているとともに、スペーサー部材８の下側には、小屋裏界壁６の上端部が嵌め込まれる不燃性の嵌込部８Ｂ，・・・が設けられた構成とされている。
【００４７】
上記した構成なので、釘打ち等で固定する必要がなく、小屋裏界壁６の上端部に、スペーサー部材８の嵌込部８Ｂを嵌め込むだけで済むため、施工性に優れている。
【００４８】
そのうえ、スペーサー部材８の嵌込部８Ｂ内での小屋裏界壁６の上端部の嵌込長さを変化させるたけで、耐火性を確保しつつ、屋根構造体としての折板屋根２に排水のための勾配を持たせるようにすることもできる。
【００４９】
特に、屋根構造体としての折板屋根８に排水のための若干の勾配を持たせている陸屋根の建物であるこのユニット建物Ｕに好適である。
【００５０】
ここで、スペーサー部材８の嵌込部８Ｂの内部には、弾性部材８２が設けられている。
【００５１】
このため、弾性部材８２を変形させることにより、小屋裏界壁６の上端部のスペーサー部材８の嵌込部８Ｂ内での嵌込長さを思い通りに変化させることができる。
【００５２】
また、スペーサー部材８の嵌込部８Ｂは、スペーサー部材８の本体部８Ａの下側側面に設けられている。
【００５３】
このため、スペーサー部材８の全体の高さを低くすることができる。
【００５４】
さらに、スペーサー部材８の嵌込部８Ｂは、スペーサー部材８の本体部８Ａの長手方向に、間隔をあけて複数個設けられている。
【００５５】
このため、スペーサー部材８の嵌込部８Ｂ等に用いる材料を少なくして、より安価に実施することができる。
【００５６】
このような実施例の建物としてのユニット建物Ｕは、上記した実施例の屋根構造体と小屋裏界壁との取合構造を備えた構成とされている。
【００５７】
上記した構成なので、上記した実施例の屋根構造体と小屋裏界壁との取合構造の作用効果を奏するユニット建物Ｕを構築することができる。
【００５８】
ここで、建物は、複数個の建物ユニット１，・・・から成るユニット建物Ｕである。
【００５９】
このため、ユニット建物Ｕは、耐火性を高くするために、実際には、多くの小屋裏界壁６を形成する場合が多いので、上記した実施例の屋根構造体と小屋裏界壁との取合構造を実施するのに適している。
【００６０】
以上、図面を参照して、本発明を実施するための形態について実施例をもとに詳述してきたが、具体的な構成は、上記した実施例に限らず、本発明の要旨を逸脱しない程度の設計的変更は、本発明に含まれる。
【００６１】
例えば、上記した実施例では、陸屋根の建物であるこのユニット建物Ｕに適用して実施したが、これに限定されず、より大きな傾斜を有する傾斜屋根の建物等に適用して実施してもよい。
【００６２】
また、上記した実施例では、建物として、ユニット建物Ｕに適用して実施したが、これに限定されず、通常の軸組建物等に適用して実施してもよい。
【００６３】
さらに、上記した実施例では、屋根構造体として、折板屋根２を用いて実施したが、これに限定されず、例えば、平板屋根等を用いて実施してもよい。
【００６４】
また、上記した実施例では、小屋裏界壁６を界壁３の上部に設けて実施したが、これに限定されず、下方に界壁３が無い箇所に小屋裏界壁６を設けて実施してもよい。
【符号の説明】
【００６５】
Ｕ      ユニット建物（建物）
１      建物ユニット
２      折板屋根（屋根構造体）
３      界壁
４      小屋裏空間
５１    天井梁
５２    天井梁
６      小屋裏界壁
７      補強桟
８      スペーサー部材
８Ａ    スペーサー部材の本体部
８Ｂ    スペーサー部材の嵌込部
８１    クッション部材
８２    弾性部材
９１    断熱材
９２    断熱材
１０    断熱材
１１    断熱材
【図１】
0006415238.tif 000002
【図２】
0006415238.tif 000003
【図３】
0006415238.tif 000004
【図４】
0006415238.tif 000005